(57)【特許請求の範囲】
【請求項１】
キャビネットに一体に形成され、スナップ固定式のワイヤーホルダーを取り付け可能な取付穴を有するホルダ固定部と、
前記ホルダ固定部から延出して形成されるリブと、
を有し、
前記ホルダ固定部は、前記取付穴が形成される面の内部側がアンダーカット部となっており、
前記リブは、前記ホルダ固定部において前記取付穴が形成される面と同一の高さで形成されている
ことを特徴とするワイヤーホルダー取付構造。
【請求項２】
請求項１に記載のワイヤーホルダー取付構造を有し、ハーネスを保持したワイヤーホルダーが前記ワイヤーホルダー取付構造に固定されるとともに、固定状態で前記ワイヤーホルダーの押さえ部が前記リブの前記取付穴が形成される面と同一高さ部分に当接する
ことを特徴とする表示装置。
【発明の詳細な説明】
【技術分野】
【０００１】
本発明は、ワイヤーホルダー取付構造及び表示装置に係り、例えば筐体に形成されたワイヤーホルダー取付構造及びそのようなワイヤーホルダー取付構造を備える表示装置に関する。
【背景技術】
【０００２】
液晶テレビでは、スピーカー等のハーネスを保持する為、ワイヤーホルダー（以下、「ＷＨ」と称する。）をキャビネットに固定して使用することがある。ＷＨの固定方法として各種のものがあるが、作業性等の観点からスナップ式（プッシュマウント）固定方法が用いられることが多い。
【０００３】
そして、スナップ式固定方法を用いた場合に、適正にハーネスを保持する技術が各種提案されている。例えば、ワイヤーハーネスに外力が加わった際でも、外れにくくしたワイヤーハーネス固定用クリップがある（例えば特許文献１参照。）。具体的には、ワイヤーハーネス固定用クリップは、ワイヤーハーネスに沿わせる基板と、該基板の一面側から突設され固定体側に取り付けられる係止脚部とを備えたワイヤーハーネス固定用クリップにおいて、前記係止脚部を突設した面と反対側の基板面から、ワイヤーハーネス内に挿入され係止される挿入係止部を突設している。
【先行技術文献】
【特許文献】
【０００４】
【特許文献１】特開平１０−３０９０２３号公報
【発明の概要】
【発明が解決しようとする課題】
【０００５】
ところで、ＷＨを固定する為のキャビネット構造を形成するにはアンダーカットの形状が必要であり、アンダーカットを作成するには、傾斜コアを用いる金型が必要になる。傾斜コアは金型の構造・形状に制限が必要なため、極力小さくすることが望ましい。
【０００６】
本発明は以上のような状況に鑑みなされたものであって、上記課題を解決する技術を提供することを目的とする。
【課題を解決するための手段】
【０００７】
本発明のワイヤーホルダー取付構造は、キャビネットに一体に形成され、スナップ固定式のワイヤーホルダーを取り付け可能な取付穴を有するホルダ固定部と、前記ホルダ固定部から延出して形成されるリブと、を有し、前記ホルダ固定部は、前記取付穴が形成される面の内部側がアンダーカット部となっており、前記リブは、前記ホルダ固定部において前記取付穴が形成される面と同一の高さで形成されている。
本発明の表示装置は、上記のワイヤーホルダー取付構造を有し、ハーネスを保持したワイヤーホルダーが前記ワイヤーホルダー取付構造に固定されるとともに、固定状態で前記ワイヤーホルダーの押さえ部が前記リブの前記取付穴が形成される面と同一高さ部分に当接する。
【発明の効果】
【０００８】
本発明によれば、ワイヤーホルダー取付構造において、アンダーカット部分を小さくし、金型構造への制限を小さくすることができる。
【図面の簡単な説明】
【０００９】
【図１】第１の実施形態に係る、液晶テレビのキャビネットを示す図である。
【図２】第１の実施形態に係る、キャビネットにおいてホルダ固定部が形成される部分を示した斜視図である。
【図３】第１の実施形態に係る、キャビネットにおいてホルダ固定部が形成される部分をワイヤーホルダーとともに示した斜視図である。
【図４】第１の実施形態に係る、ホルダ固定部が形成される部分の断面構造を示した図である。
【図５】第１の実施形態に係る、ホルダ固定部の構造を従来構造と比較して示した図である。
【図６】第１の実施形態に係る、ホルダ固定部の構造と傾斜コアとの関係を従来構造と比較して示した図である。
【図７】第１の実施形態に係る、ホルダ固定部へのワイヤーホルダーの取り付け状態を押さえリブを設けない構造と比較して示した図である。
【図８】第２の実施形態に係る、キャビネットにおいてホルダ固定部が形成される部分をワイヤーホルダーとともに示した斜視図である。
【図９】第２の実施形態に係る、ワイヤーホルダーの取り付け前後のホルダ固定部の断面構造を示した図である。
【図１０】第２の実施形態に係る、ホルダ固定部と傾斜コアの関係を示した図である。
【図１１】第２の実施形態に係る、ホルダ固定部の構造を第１の実施形態の構造及び従来構造と比較して示した図である。
【発明を実施するための形態】
【００１０】
次に、本発明を実施するための形態（以下、単に「実施形態」という）を、図面を参照して具体的に説明する。
【００１１】
＜第１の実施形態＞
図１は、本実施形態に係る液晶テレビ１０のキャビネット２０の背面側を示しており、ここでは表示モジュールの前面側に取り付けられるキャビネット２０を示している。このキャビネット２０は、樹脂成形によって形成されており、他のキャビネットと例えば嵌合用係止片２８等を用いて嵌合固定される。
【００１２】
また、液晶テレビ１０の内部には、各種のハーネスが配索されるが、キャビネット裏面２２にはそのためのホルダ固定部３０が形成されている。図２は、図１の領域Ａ１を拡大してホルダ固定部３０の構造を詳細に示した斜視図である。また、図３は別の角度から示した斜視図であり、ワイヤーホルダー９０を併せて示している。このワイヤーホルダー９０は、例えば、スピーカー等のハーネスを束ねてキャビネット２０に固定する。さらに、図４はホルダ固定部３０の断面構造を示した図であり、図４（ａ）は縦断面図でワイヤーホルダー９０を固定した状態を示しており、図４（ｂ）は横断面を模式的に示した図である。
【００１３】
ホルダ固定部３０は、主に図１〜３に示すように、キャビネット２０の下側部分においてキャビネット裏面２２に形成されている。より具体的には、キャビネット裏面２２の段差部２４にホルダ固定部３０が形成されている。
【００１４】
ホルダ固定部３０は、ボックス部３２と押さえリブ４０とを備えて構成されている。ボックス部３２は、図示で上側が開口となって、左右の壁面３２ａ、後側の壁面３２ｂ及び底面３２ｃで構成されている。後側の壁面３２ｂには、ホルダ取付穴３４が形成されており、ワイヤーホルダー９０がホルダ取付穴３４の方向（図示で矢印Ｘ１方向）に挿入されて固定される。固定状態でワイヤーホルダー９０の板バネ部９２（押さえ部）が押さえリブ４０に当接するように載ることになる。
【００１５】
また、底面３２ｃには二本の押さえリブ４０が延出して形成されている。押さえリブ４０の後側の端部は、後側の壁面３２ｂと同一面となっている。後側の壁面３２ｂには、ワイヤーホルダー９０を固定する場合の規制壁３６が所定幅で２カ所に相互に平行して形成されている。なお、押さえリブ４０の数は特に限定するものでなく、ワイヤーホルダー９０の板バネ部９２が当接するように載ることができれば、１本であってもよい。
【００１６】
さらに、ボックス部３２の内部は、いわゆるアンダーカット部５０であって空洞になっている。つまり、アンダーカット部５０のため、成形後、成形品を型開閉方向に取出せないような形状となっている。
【００１７】
ここで、図４〜図６を参照して、ホルダ固定部３０のアンダーカット部５０に起因する傾斜コア８０、１８０の移動について説明する。なお、図５は、ホルダ固定部３０の構造を従来構造のホルダ固定部１３０と比較して示した図である。従来構造のホルダ固定部１３０は、図５（ｄ）に示すように、ホルダ固定部１３０のみでリブ４０は設けられていない。図６は、ホルダ固定部３０、１３０を形成する傾斜コア８０、１８０の移動させた状態を示している。
【００１８】
図示のように、ホルダ固定部３０、１３０の形状を形成するための傾斜コア８０、１８０を、図示で上方向（矢印Ｘ２方向）に一旦相対移動させる必要がある。図示のようにアンダーカット部５０の奥行きを短くすることができるので、つまり内部空間の容量を小さくすることができる。その結果、本実施形態のホルダ固定部３０を形成するための図６（ｂ）の傾斜コア８０は、図６（ａ）の傾斜コア１８０と比較して、特に移動方向に対して小型化することができるので、傾斜コア８０の移動範囲を狭く設定することができる。つまり、形状形成不可能な領域を狭くすることができ、形状形成可能領域を広くすることができる。
【００１９】
ここで、図７（ａ）のホルダ固定部２３０は、本実施形態のホルダ固定部３０から単純に押さえリブ４０を取り除いた構成に、ワイヤーホルダー９０を取り付けた状態を模式的に示している。また、図７（ｂ）はホルダ固定部３０にワイヤーホルダー９０を取り付けた状態を示している。
【００２０】
図７（ａ）に示すように、ボックス部２３２の形状を小さくした状態だけでは、板バネ部９２の一方（図示では右側）が上に乗る構造がないため、ワイヤーホルダー９０が傾いてしまい、所望の固定力が働かないことになる。場合によっては、比較的小さな力が作用しただけで、ワイヤーホルダー９０がホルダ取付穴３４から外れてしまう畏れもある。
【００２１】
一方で、図７（ｂ）に示すように、本実施形態では、ホルダ固定部３０のボックス部３２が小さくなっても押さえリブ４０が設けられている。そのため、ワイヤーホルダー９０の板バネ部９２は、ワイヤーホルダー９０が挿入された状態で、押さえリブ４０に当接し、当接の領域には弾性力で押さえるように力が作用する。
【００２２】
以上、本実施形態によると、ホルダ取付穴３４が形成されているホルダ固定部３０の側面に、押さえリブ４０が形成されている。その結果、従来の構造に比べキャビネット２０に形成されたホルダ固定部３０のアンダーカット部５０を小さくすることができる。アンダーカット部５０を小さくすることで、傾斜コア８０（金型）への制約範囲を小さくすることができる。つまり、傾斜コア８０を小型化することができる。一方で、押さえリブ４０を設けているので、ワイヤーホルダー９０の板バネ部９２の機能を十分に発揮させることができ、ワイヤーホルダー９０が傾いた状態となり簡単に外れてしまうといったことを防止できる。
【００２３】
＜第２の実施形態＞
図８から図１１を参照して本実施形態の液晶テレビ３１０のホルダ固定部３３０を説明する。図８はキャビネット３２０のキャビネット裏面３２２に形成されるホルダ固定部３３０の斜視図である。また、図９はワイヤーホルダー９０が取り付けられる前後のホルダ固定部３３０の断面図である。さらに、図１０は、ホルダ固定部３３０と傾斜コア３８０のスライド方向との関係を示している。さらにまた、図１１は、本実施形態のホルダ固定部３３０（図１１（ａ））と、第１の実施形態のホルダ固定部３０（図１１（ｂ））及び従来技術のホルダ固定部１３０の形状の関係を比較可能に模式的に示した図である。
【００２４】
本実施形態のホルダ固定部３３０は、第１の実施形態と異なり、アンダーカット部３５０の開口の向き、つまり傾斜コア３８０がスライド（移動）する方向及び押さえリブ３４０の形成方向が異なる。
【００２５】
具体的には、ホルダ固定部３３０は、ボックス部３３２と押さえリブ３４０とを備えて構成されている。ボックス部３３２の内部にはアンダーカット部３５０となる空間が形成されており、図１０において下側が開口となっている。つまり、アンダーカット部３５０は、図８や図１０に示すように、キャビネット３２０の延出形成方向（図中矢印Ｘ３方向）、より具体的には、上下の枠部分であれば左右方向のいずれか、左右の枠部分であれば上下方向のいずれかに向かって開口を形成している。
【００２６】
さらに、開口を挟む左右の壁面３３２ａから押さえリブ３４０として、第１及び第２の押さえリブ３４１、３４２が延出して形成されている。第１及び第２の押さえリブ３４１、３４２の高さは、ホルダ取り付け穴３４が形成される面と同一高さに形成されている。この第１及び第２の押さえリブ３４１、３４２に、ワイヤーホルダー９０が取り付けられたときに板バネ部９２が当接する。
【００２７】
本実施形態によると、対向する二つの壁面３３２ａにおいて、それぞれ外側に延出して形成される押さえリブ３４０（第１及び第２の押さえリブ３４１、３４２）が形成されている。したがって、第１及び第２の押さえリブ３４１、３４２に板バネ部９２が当接することから、ボックス部３３２を小型化しても、ワイヤーホルダー９０の取り付け状態が不安定になることはない。
【００２８】
図１１（ａ）〜（ｃ）に示すように、ホルダ固定部３３０を従来技術のホルダ固定部１３０より小型化が可能なだけでなく、第１の実施形態のホルダ固定部３０よりも小型化することができる。その結果、ホルダ固定部３３０の設計の自由度が向上するため、傾斜コア３８０の必要移動範囲が狭くすることができる。つまり、キャビネット２０の狭額縁化が可能となる。
【００２９】
なお、押さえリブ３４０として、第１の押さえリブ３４１又は第２の押さえリブ３４２のいずれかのみでもよい。その場合は、板バネ部９２と当接する領域を確保する必要から、ボックス部３２０のホルダ取り付け穴３３４が形成される面を拡大する必要がある。
【００３０】
以上、本発明を実施形態をもとに説明した。この実施形態は例示であり、それらの各構成要素の組み合わせ等にいろいろな変形例が可能なこと、またそうした変形例も本発明の範囲にあることは当業者に理解されるところである。
【符号の説明】
【００３１】
１０  液晶テレビ
２０、３２０  キャビネット
２２、３２２  キャビネット裏面
２４  段差部
３０、３３０  ホルダ固定部
３２、３３２  ボックス部
３２ａ、３３２ａ  側壁面
３２ｂ  後壁面
３２ｃ  底面
３４、３３４  ホルダ取付穴
４０、３４０  押さえリブ
５０、３５０  アンダーカット部
３４１  第１の押さえリブ
３４２  第２の押さえリブ
【要約】
【課題】ワイヤーホルダー取付構造において、アンダーカット部分を小さくし、金型構造への制限を小さくする技術を提供する。
【解決手段】キャビネット２０に形成されるホルダ固定部３０は、ボックス部３２と押さえリブ４０とを備えて構成されている。ボックス部３２は、図示で上側が開口となって、左右の壁面３２ａ、後側の壁面３２ｂ及び底面３２ｃで構成されている。後側の壁面３２ｂには、ホルダ取付穴３４が形成されており、ワイヤーホルダー９０がホルダ取付穴３４の方向（図示で矢印Ｘ１方向）に挿入されて固定される。固定状態でワイヤーホルダー９０の板バネ部９２（押さえ部）が押さえリブ４０に当接するように載ることになる。
【選択図】図３【図１】
0005148774.tif 000002
【図２】
0005148774.tif 000003
【図３】
0005148774.tif 000004
【図４】
0005148774.tif 000005
【図５】
0005148774.tif 000006
【図６】
0005148774.tif 000007
【図７】
0005148774.tif 000008
【図８】
0005148774.tif 000009
【図９】
0005148774.tif 000010
【図１０】
0005148774.tif 000011
【図１１】
0005148774.tif 000012